(57)【要約】【課題】デジタルデータ送受信システムでデジタルデータを送受信する際に、デジタルデータの遅延時間を容易に確認できるようにする。【解決手段】送信装置１は、送信装置１内部のデジタル処理によるデジタルデータの遅延時間を記憶しており、この遅延時間を示す遅延情報を送信する。受信装置２は、送信装置１から送信された遅延情報を取得する。また、受信装置２も、受信装置２内部のデジタル処理によるデジタルデータの遅延時間を記憶しており、送信装置１から送信された遅延情報が示す遅延時間と、受信装置２で記憶した遅延時間とを合計した遅延時間を示す遅延情報を作成する。【選択図】図１
2008258837.tif 000002
【特許請求の範囲】
【請求項１】
デジタルデータを送信する送信装置において、
前記送信装置内部のデジタル処理によるデジタルデータの遅延時間を記憶した記憶手段と、
前記記憶手段に記憶された遅延時間を示す遅延情報を送信する遅延情報送信手段と
を備えたことを特徴とする送信装置。
【請求項２】
請求項１に記載の送信装置において、
表示手段と、
前記記憶手段に記憶された遅延時間を前記表示手段に表示させる制御手段と
をさらに備えたことを特徴とする送信装置。
【請求項３】
請求項２に記載の送信装置において、
前記遅延情報送信手段は、前記送信装置から送信するデジタルデータに前記遅延情報を付加する付加回路から成ることを特徴とする送信装置。
【請求項４】
請求項１に記載の送信装置において、
マイクロホンと、
前記マイクロホンからの音声信号をアナログ／デジタル変換するアナログ／デジタル変換器と、
前記アナログ／デジタル変換器からのデジタル音声信号によって変調した電波を送信する変調・送信手段と
を有する音声送信装置であることを特徴とする送信装置。
【請求項５】
送信装置から送信されたデジタルデータを受信する受信装置において、
前記受信装置内部のデジタル処理によるデジタルデータの遅延時間を記憶した記憶手段と、
前記送信装置から送信された、デジタルデータの遅延時間を示す遅延情報を取得する遅延情報取得手段と、
前記記憶手段に記憶された遅延時間と、前記遅延情報取得手段で取得された前記遅延情報が示す遅延時間とを合計した遅延時間を示す遅延情報を作成する遅延情報作成手段と
を備えたことを特徴とする受信装置。
【請求項６】
請求項５に記載の受信装置において、
複数の送信装置から送信されたデジタルデータを受信し、
前記遅延情報取得手段は、前記複数の送信装置から送信された前記遅延情報をそれぞれ取得し、
前記遅延情報取得手段で取得された前記遅延情報に基づき、前記複数の送信装置から受信したデジタルデータのうち遅延時間が最長のデジタルデータ以外のデジタルデータを、該最長の遅延時間に一致させるように遅延させる遅延手段をさらに備え、
前記遅延情報作成手段は、前記記憶手段に記憶された遅延時間と、前記遅延情報取得手段で取得された前記遅延情報が示す遅延時間のうちの最長の遅延時間とを合計する
ことを特徴とする受信装置。
【請求項７】
請求項５に記載の受信装置において、
表示手段と、
前記遅延情報作成手段によって合計された遅延時間を前記表示手段に表示させる処理手段と
をさらに備えたことを特徴とする受信装置。
【請求項８】
請求項５に記載の受信装置において、
前記送信装置から受信したデジタルデータと、前記遅延情報作成手段によって作成された前記遅延情報とを出力する出力手段をさらに備えたことを特徴とする受信装置。
【請求項９】
請求項５に記載の受信装置において、
前記遅延情報取得手段は、前記送信装置から受信したデジタルデータから、該デジタルデータに付加されている前記遅延情報を抽出する抽出回路から成ることを特徴とするデジタルデータ送受信システム。
【請求項１０】
請求項５に記載の受信装置において、
ワイヤレス音声送信装置から送信された電波を受信してデジタル音声信号を復調する受信・復調手段と、
前記受信・復調手段によって復調されたデジタル音声信号を出力する音声出力端子と
を有するワイヤレス音声受信装置であることを特徴とする受信装置。
【請求項１１】
デジタルデータを送信する送信装置と、
前記送信装置から送信されたデジタルデータを受信する受信装置と
から成るデジタルデータ送受信システムにおいて、
前記送信装置は、
前記送信装置内部のデジタル処理によるデジタルデータの遅延時間を記憶した記憶手段と、
前記記憶手段に記憶された遅延時間を示す遅延情報を送信する遅延情報送信手段と
を備え、
前記受信装置は、
前記受信装置内部のデジタル処理によるデジタルデータの遅延時間を記憶した記憶手段と、
前記送信装置から送信された前記遅延情報を取得する遅延情報取得手段と、
前記記憶手段に記憶された遅延時間と、前記遅延情報取得手段で取得された前記遅延情報が示す遅延時間とを合計した遅延時間を示す遅延情報を作成する遅延情報作成手段と
を備えたことを特徴とするデジタルデータ送受信システム。
【請求項１２】
請求項１１に記載のデジタルデータ送受信システムにおいて、
前記受信装置は、複数の前記送信装置から送信されたデジタルデータを受信し、
前記受信装置の前記遅延情報取得手段は、前記複数の前記送信装置から送信された前記遅延情報をそれぞれ取得し、
前記受信装置は、前記遅延情報取得手段で取得された前記遅延情報に基づき、前記複数の前記送信装置から受信したデジタルデータのうち遅延時間が最長のデジタルデータ以外のデジタルデータを、該最長の遅延時間に一致させるように遅延させる遅延手段をさらに備え、
前記受信装置の前記遅延情報作成手段は、前記記憶手段に記憶された遅延時間と、前記遅延情報取得手段で取得された前記遅延情報が示す遅延時間のうちの最長の遅延時間とを合計する
ことを特徴とするデジタルデータ送受信システム。
【請求項１３】
請求項１１に記載のデジタルデータ送受信システムにおいて、
前記送信装置は、
表示手段と、
前記記憶手段に記憶された遅延時間を前記表示手段に表示させる制御手段と
をさらに備え、
前記受信装置は、
表示手段と、
前記遅延情報作成手段によって合計された遅延時間を前記表示手段に表示させる処理手段と
をさらに備えたことを特徴とするデジタルデータ送受信システム。
【請求項１４】
請求項１１に記載のデジタルデータ送受信システムにおいて、
前記受信装置は、
前記送信装置から受信したデジタルデータと、前記遅延情報作成手段によって作成された前記遅延情報とを出力する出力手段
をさらに備えたことを特徴とするデジタルデータ送受信システム。
【請求項１５】
請求項１１に記載のデジタルデータ送受信システムにおいて、
前記送信装置の前記遅延情報送信手段は、前記送信装置から送信するデジタルデータに前記遅延情報を付加する付加回路から成り、
前記受信装置の前記遅延情報取得手段は、前記送信装置から受信したデジタルデータから前記遅延情報を抽出する抽出回路から成ることを特徴とするデジタルデータ送受信システム。
【請求項１６】
請求項１１に記載のデジタルデータ送受信システムにおいて、
前記送信装置は、
マイクロホンと、
前記マイクロホンからの音声信号をアナログ／デジタル変換するアナログ／デジタル変換器と、
前記アナログ／デジタル変換器からのデジタル音声信号によって変調した電波を送信する変調・送信手段と
を有するワイヤレス音声送信装置であり、
前記受信装置は、
前記ワイヤレス音声送信装置から送信された電波を受信してデジタル音声信号を復調する受信・復調手段と、
前記受信・復調手段によって復調されたデジタル音声信号を出力する音声出力端子と
を有するワイヤレス音声受信装置であることを特徴とするデジタルデータ送受信システム。
【発明の詳細な説明】
【技術分野】
【０００１】
本発明は、例えばデジタル音声信号のようなデジタルデータを送受信する送信装置，受信装置及び送受信システムに関する。
【背景技術】
【０００２】
昨今、映像音響作品の制作には、デジタルワイヤレスマイクロホン、デジタルオーディオミキサー、デジタルビデオカメラなどの多くのデジタル機器が用いられる。そして、これらデジタル機器内部では、音声や映像の収録や編集を行うためにデジタル処理が行われている。
【０００３】
このデジタル処理には、従来のアナログ機器内部で行われるアナログ処理と同様なリアルタイム処理に加えて、デジタルフィルタリング，デジタル圧縮など、遅延時間を伴う処理が存在する。
【０００４】
例えば、ＥＮＧ取材やスタジオ内の収録で、複数の音声（音楽であれば、歌手の歌声や、ギターの音や、ベースの音など）をそれぞれ別々のデジタルワイヤレスマイクロホンを用いてデジタルオーディオミキサーやデジタルビデオカメラに入力させる場合、各音声は、それぞれを伝送するデジタルワイヤレスマイクロホンの内部の回路の仕様やファームウェアの相違によって、デジタルミキサーやデジタルビデオカメラに入力されるまでの遅延時間が異なることになる。
【０００５】
そのため、それらの音声（さらには、それらの音声とデジタルビデオカメラで撮影した映像）をひとつの作品としてまとめる前には、デジタルミキサーやデジタルビデオカメラに入力した各音声の遅延時間を調整することが必要となる。
【０００６】
ところが、従来は、個々のデジタルワイヤレスマイクロホンでの遅延時間がわかっていないので、収録担当者や編集担当者が、各音声の遅延時間の測定作業を行い、その上で各音声の遅延時間を調整していた。そのため、遅延時間の調整に手間や時間がかかっていた。
【０００７】
また、従来から、デジタル映像データに属性情報（撮影日時、シーン番号など）や撮影条件の情報（使用したカメラ、シャッタースピードなど）をメタデータとして付加して送信することが行われており、また受信したメタデータを映像にスーパーインポーズして表示させる技術も提案されている（特許文献１参照）。しかし、デジタルデータの遅延時間の調整に役立つ情報を送受信したり表示するような技術は従来提案されていなかった。
【０００８】
【特許文献１】特開２００４−３１２２８１号公報
【発明の開示】
【発明が解決しようとする課題】
【０００９】
本発明は、上述の点に鑑み、例えばデジタルワイヤレスマイクロホンのようなデジタルデータ送受信システムでデジタルデータを送受信する際に、デジタルデータの遅延時間を容易に確認できるようにすることを課題としてなされたものである。
【課題を解決するための手段】
【００１０】
本発明は、デジタルデータを送信する送信装置において、
前記送信装置内部のデジタル処理によるデジタルデータの遅延時間を記憶した記憶手段と、
前記記憶手段に記憶された遅延時間を示す遅延情報を送信する遅延情報送信手段と
を備えたことを特徴とする。
【００１１】
この送信装置では、送信装置内部のデジタル処理によるデジタルデータの遅延時間が記憶されており、この記憶された遅延時間を示す遅延情報が送信装置から送信される。
【００１２】
したがって、この送信装置から送信されたデジタルデータを受信する受信装置側では、この遅延情報を取得すれば、送信装置でのデジタルデータの遅延時間を容易に確認することができる。
【００１３】
次に、本発明は、送信装置から送信されたデジタルデータを受信する受信装置において、
前記送信装置から送信された、デジタルデータの遅延時間を示す遅延情報を取得する遅延情報取得手段と、
前記受信装置内部のデジタル処理によるデジタルデータの遅延時間を記憶した記憶手段と、
前記遅延情報取得手段で取得された前記遅延情報が示す遅延時間と、前記記憶手段に記憶された遅延時間とを合計した遅延時間を示す遅延情報を作成する遅延情報作成手段と
を備えたことを特徴とする。
【００１４】
この受信装置では、送信装置から送信された、デジタルデータの遅延時間を示す遅延情報が取得される。また、受信装置にも、受信装置内部のデジタル処理によるデジタルデータの遅延時間が記憶されており、受信装置に記憶された遅延時間と、送信装置から送信された遅延情報が示す遅延時間とを合計した遅延時間を示す遅延情報が作成される。
【００１５】
したがって、この受信装置で作成された遅延情報を用いれば、送信装置及び受信装置でのデジタルデータの合計の遅延時間を容易に確認することができる。
【００１６】
次に、本発明は、デジタルデータを送信する送信装置と、
前記送信装置から送信されたデジタルデータを受信する受信装置と
から成るデジタルデータ送受信システムにおいて、
前記送信装置は、
前記送信装置内部のデジタル処理によるデジタルデータの遅延時間を記憶した記憶手段と、
前記記憶手段に記憶された遅延時間を示す遅延情報を送信する遅延情報送信手段と
を備え、
前記受信装置は、
前記受信装置内部のデジタル処理によるデジタルデータの遅延時間を記憶した記憶手段と、
前記送信装置から送信された前記遅延情報を取得する遅延情報取得手段と、
前記遅延情報取得手段で取得された前記遅延情報が示す遅延時間と、前記記憶手段に記憶された遅延時間とを合計した遅延時間を示す遅延情報を作成する遅延情報作成手段と
を備えたことを特徴とする。
【００１７】
このデジタルデータ送受信システムは、前述の本発明に係る送信装置と受信装置とから成るものであり、受信装置で作成された遅延情報を用いれば、このデジタルデータ送受信システム全体でのデジタルデータの遅延時間を容易に確認することができる。
【発明の効果】
【００１８】
本発明によれば、デジタルデータ送受信システムでデジタルデータを送受信する際に、デジタルデータの遅延時間を容易に確認することができるという効果が得られる。
【発明を実施するための最良の形態】
【００１９】
以下、本発明の実施の形態を図面を用いて具体的に説明する。なお、以下では、デジタルワイヤレスマイクロホンに本発明を適用した例について説明する。
【００２０】
図１は、本発明を適用したデジタルワイヤレスマイクロホン（以下単にワイヤレスマイクロホンと呼ぶ）の外観例を示す図である。このうち、図１Ａは、音声の送信側の装置であるワイヤレスマイクロホントランスミッター（以下トランスミッターと呼ぶ）１を示している。トランスミッター１の表面には、受信アンテナ１ａや、マイク入力端子１ｂや、液晶ディスプレイから成る表示部１ｃが設けられている。トランスミッター１は、腰のベルト等に取り付けて、マイク入力端子１ｂにケーブルでマイクロホン（ピンマイク等）を接続するタイプのトランスミッターである。
【００２１】
図１Ｂは、音声の受信側の装置であるワイヤレスマイクロホンレシーバー（以下レシーバーと呼ぶ）２を示している。レシーバー２の表面には、受信アンテナ２ａや、液晶ディスプレイから成る表示部２ｂが設けられている。また、図には表れていないが、レシーバー２の表面には、デジタル音声出力端子や、モニター用の音声出力端子が設けられている。レシーバー２は、ポータブルタイプのレシーバーである。
【００２２】
図２は、トランスミッター１の構成例を示すブロック図である。トランスミッター１には、マイク入力端子１ｂ（図１Ａ）に接続されたマイクロホン（図示略）からの入力音声信号を増幅するアンプ１０と、アンプ１０で増幅された音声信号をアナログ／デジタル変換するＡ／Ｄ変換器１１とが設けられている。
【００２３】
また、トランスミッター１には、Ａ／Ｄ変換器１１から出力されたデジタル音声信号のデータ量を圧縮するデジタル圧縮回路１２と、デジタル圧縮回路１２で圧縮されたデジタル音声信号をパケット化するパケット化回路１３とが設けられている。パケット化回路１３は、ＦＰＧＡで構成されている。
【００２４】
また、トランスミッター１には、パケット化回路１３から出力されたパケット信号によって変調した電波を送信するデジタル変調回路１４，ＵＨＦ変調回路１５及び送信アンテナ１ａ（図１Ａ）とが設けられている。
【００２５】
また、トランスミッター１には、トランスミッター１内部を制御するＣＰＵ１６と、表示部１ｃ（図１Ａ）を構成している液晶モジュール１７とが設けられている。
【００２６】
Ａ／Ｄ変換器１１でのデジタル処理と、デジタル圧縮回路１２でのデジタル処理と、パケット化回路１３でのデジタル処理と、デジタル変調回路１４でのデジタル処理とは、それぞれ遅延時間を伴う処理である。これらの回路での遅延時間の長さは、回路の仕様やファームウェアの相違によって変化するが、回路の仕様やファームウェアが同じ場合には一定である。
【００２７】
ＣＰＵ１６内のメモリには、予め、Ａ／Ｄ変換器１１とデジタル圧縮回路１２とパケット化回路１３とデジタル変調回路１４とでの総遅延時間（すなわち、トランスミッター１でのデジタル処理によるデジタル音声信号の遅延時間）が記憶されている。
【００２８】
ＣＰＵ１６には、パケット化回路１３を制御するプログラムとして、このメモリに記憶されている遅延時間を示す遅延情報を付加したパケット信号を生成させるプログラムが格納されている。図３は、この制御によるパケット化回路１３での遅延情報の付加の様子を例示する図である。この例は、ＣＰＵ１６内のメモリに２．９ｍｓという遅延時間が記憶されている（例えば、Ａ／Ｄ変換器１１での遅延時間が０．５ｍｓであり、デジタル圧縮回路１２での遅延時間が１．０ｍｓであり、パケット化回路１３での遅延時間が１．０ｍｓであり、デジタル変調回路１４での遅延時間が０．４ｍｓである）場合の例であり、２．９ｍｓを示す遅延情報が付加されている。
【００２９】
また、ＣＰＵ１６には、液晶モジュール１７を制御するプログラムとして、ＣＰＵ１６内のメモリに記憶されている遅延時間を表示させるプログラムが格納されている。図４は、この制御による表示部１ｃ（図１Ａ）での遅延時間の表示の様子を、図３と同じく２．９ｍｓという遅延時間が記憶されている場合を例にとって示す図である。
【００３０】
図５は、レシーバー２の構成例を示すブロック図である。レシーバー２は、２つのトランスミッター１からの２チャンネルのデジタル音声信号を受信可能なタイプのレシーバーであり、受信アンテナ２ａ（図１Ｂ）に２系統の復調回路２０，２１が接続されている。
【００３１】
また、レシーバー２には、復調回路２０，２１で復調されたパケット信号からそれぞれデジタル音声信号と前述の遅延情報とを抽出するアンパケット化回路２２，２３が設けられている。
【００３２】
アンパケット化回路２２，２３で抽出されたデジタル音声信号は、デジタル伸長回路２４，２５でそれぞれ伸長された後、遅延時間を設定可能な遅延回路２６，２７に送られる。
【００３３】
遅延回路２６，２７から出力されたデジタル音声信号は、サンプリングレートコンバータ２８，２９（レシーバー２内部のリファレンスクロック発生回路３０からのリファレンスクロックに基づいてデジタル音声信号のサンプリングレートを変換する回路）を経て、パケット化回路３１，３２にそれぞれ送られる。アンパケット化回路２２，２３からパケット化回路３１，３２までの回路は、ＦＰＧＡ３３上に構成されている。
【００３４】
また、サンプリングレートコンバータ２８，２９から出力されたデジタル音声信号は、Ｄ／Ａ変換器３４，３５でそれぞれアナログ音声信号に変換され、ミキシング回路３６で合成（加算処理）される。ミキシング回路３６で合成されたアナログ音声信号は、モニター用の音声出力端子３７から出力される。
【００３５】
アンパケット化回路２２，２３で抽出された遅延情報は、レシーバー２内部を制御するＣＰＵ３８に送られる。
【００３６】
ＣＰＵ３８には、アンパケット化回路２２からの遅延情報が示す遅延時間とアンパケット化回路２３からの遅延情報が示す遅延時間とを比較し、両者に差がある場合には、遅延回路２６，２７のうち、遅延時間が短いほうの遅延情報を送ったアンパケット化回路に対応する遅延回路の遅延時間をその差分の長さに調整する（残りの一方の遅延回路の遅延時間はゼロに設定する）プログラムが格納されている。
【００３７】
このプログラムでの処理の具体例を挙げると、アンパケット化回路２２からの遅延情報が示す遅延時間が２．９ｍｓであり、アンパケット化回路２３からの遅延情報が示す遅延時間が２．３ｍｓであるとすると、アンパケット化回路２３に対応するほうの遅延回路２７の遅延時間を０．６ｍｓに設定する。
【００３８】
この処理により、ミキシング回路３６では、２チャンネルのアナログ音声信号が、遅延時間を揃えた状態で合成されるようになる。図６，図７は、２チャンネルの音声信号の加算処理の例として、１ｋＨｚの音声信号と２．５ｋＨｚの音声信号との加算処理の様子を示す図である。
【００３９】
このうち、図６には、１ｋＨｚ，２．５ｋＨｚのいずれの音声信号も遅延していない状態での加算処理の様子を図６Ａとして示し、２．５ｋＨｚの音声信号だけが０．１ｍｓ遅延した状態での加算処理の様子を図６Ｂとして示している。一方の音声信号だけが遅延していると、いずれの音声信号も遅延していない場合とは異なる加算処理結果が得られ、音声を正確に合成できないことがわかる。
【００４０】
他方、図７には、１ｋＨｚ，２．５ｋＨｚのいずれの音声信号も遅延していない状態での加算処理の様子を図７Ａとして示し、１ｋＨｚ，２．５ｋＨｚの音声信号の両方が０．１ｍｓ遅延した状態での加算処理の様子を図７Ｂとして示している。両方の音声信号の遅延時間を揃えることにより、いずれの音声信号も遅延していない場合と同じ加算処理結果が得られ、音声を正確に合成できることがわかる。
【００４１】
したがって、ＣＰＵ３８による遅延回路２６，２７の遅延時間の設定により、ミキシング回路３６では２つのアナログ音声信号が正確に合成されるので、モニター用の音声出力端子３７に接続したイヤホンなどで正確な合成音声をモニタリングすることができる。
【００４２】
復調回路２０，２１でのデジタル処理と、アンパケット化回路２２，２３でのデジタル処理と、デジタル伸長回路２４，２５でのデジタル処理と、サンプリングレートコンバータ２８，２９でのデジタル処理と、パケット化回路３１，３２でのデジタル処理とは、それぞれ遅延時間を伴う処理である。これらの回路での遅延時間の長さは、回路の仕様やファームウェアの相違によって変化するが、回路の仕様やファームウェアが同じ場合には一定である。
【００４３】
ＣＰＵ３８内のメモリには、予め、復調回路２０，２１とアンパケット化回路２２，２３とデジタル伸長回路２４，２５とサンプリングレートコンバータ２８，２９とパケット化回路３１，３２とでの総遅延時間（すなわち、レシーバー２でのデジタル処理によるデジタル音声信号の遅延時間）が記憶されている。
【００４４】
ＣＰＵ３８には、パケット化回路３１，３２を制御するプログラムとして、このメモリに記憶された遅延時間と、アンパケット化回路２２，２３で抽出された遅延情報が示す遅延時間のうちの長いほうの遅延時間とを合計した遅延時間を示す遅延情報を付加したパケット信号を生成させるプログラムが格納されている。
【００４５】
図８は、この制御によるパケット化回路３１，３２での遅延情報の付加の様子を例示する図である。この例は、前述の例のようにアンパケット化回路２２，２３からの遅延情報が示す遅延時間がそれぞれ２．９ｍｓ，２．３ｍｓであり、且つ、ＣＰＵ１６内のメモリに３．８ｍｓという遅延時間が記憶されている（例えば、復調回路２０，２１での遅延時間が０．３ｍｓであり、アンパケット化回路２２，２３での遅延時間が１．０ｍｓであり、デジタル伸長回路２４，２５での遅延時間が０．８ｍｓであり、サンプリングレートコンバータ２８，２９での遅延時間が０．７ｍｓであり、パケット化回路３１，３２での遅延時間が１．０ｍｓである）場合の例であり、２．９ｍｓと３．８ｍｓとの合計である６．７ｍｓを示す遅延情報が付加されている。
【００４６】
また、ＣＰＵ３８には、表示部２ｂ（図１Ｂ）を構成している液晶モジュール３９を制御するプログラムとして、ＣＰＵ３８内のメモリに記憶された遅延時間と、アンパケット化回路２２，２３で抽出された遅延情報が示す遅延時間のうちの長いほうの遅延時間とを合計した遅延時間を表示させるプログラムが格納されている。図９は、この制御による表示部２ｂでの遅延時間の表示の様子を、図８と同じく合計の遅延時間が６．７ｍｓである場合を例にとって示す図である。
【００４７】
図５に示すように、パケット化回路３１，３２から出力されたパケット信号は、それぞれデジタル音声出力端子４０，４１から出力される。
【００４８】
このワイヤレスマイクロホンでは、トランスミッター１に、トランスミッター１内部のデジタル処理によるデジタル音声信号の遅延時間が記憶されており、この記憶された遅延時間を示す遅延情報が、デジタル音声信号に付加されて送信される。
【００４９】
レシーバー２では、トランスミッター１から送信されたデジタル音声信号からこの遅延情報が抽出されて、トランスミッター１でのデータの遅延時間が確認される。
【００５０】
また、レシーバー２にも、レシーバー２内部のデジタル処理によるデジタル音声信号の遅延時間が記憶されており、レシーバー２に記憶された遅延時間と、トランスミッター１から送信された遅延情報が示す遅延時間とを合計した遅延時間を示す遅延情報が作成される。
【００５１】
そして、この合計の遅延時間を示す遅延情報が、デジタル音声信号に付加されてレシーバー２から出力される。
【００５２】
したがって、このレシーバー２からデジタル音声信号が入力されるデジタル機器では、入力したデジタル音声信号からこの遅延情報を抽出する処理を行えば、ワイヤレスマイクロホンでのデジタル音声信号の総遅延時間を容易に確認することができる。
【００５３】
また、図９に例示したようにレシーバー２の表示部２ｂにこの総遅延時間が表示されるので、この表示部２ｂの表示を見ることによってもワイヤレスマイクロホンでのデジタル音声信号の総遅延時間を容易に確認することができる。
【００５４】
さらに、レシーバー２内では２チャンネルのデジタル音声信号の遅延時間を揃える処理が行われるので、レシーバー２からデジタル音声信号が入力されるデジタル機器では、１個のレシーバー２から入力される２チャンネルのデジタル音声信号の遅延時間を調整する必要はなくなり、複数個のレシーバー２からデジタル音声信号を入力する場合にのみ各レシーバー２からのデジタル音声信号の遅延時間を調整すれば足りるようになる。
【００５５】
また、図４に例示したようにトランスミッター１の表示部１ｃにもトランスミッター１での遅延時間が表示されるので、２個のトランスミッター１から送信されたデジタル音声信号を、レシーバー２以外の２チャンネル対応のレシーバーで受信するような場合にも、各トランスミッター１の表示部１ｃの表示を見ることによって各チャンネルのデジタル音声信号の遅延時間を容易に確認することができる。
【００５６】
図１０，図１１は、このワイヤレスマイクロホンを用いたシステムを例示する図である。このうち、図１０は、２個のトランスミッター１と１個のレシーバー２とを１組として、２組のワイヤレスマイクロホンを用いて４チャンネルの音声をデジタルオーディオミキサー５０に入力させ、デジタルオーディオミキサー５０でミキシングした音声をデジタルオーディオレコーダ５１に収録するようにしたシステムである。
【００５７】
各トランスミッター１，各レシーバー２は、それぞれ図２，図５に示した構成のものであれば、互いに回路の仕様やファームウェアが相違していてもかまわない（各々の仕様やファームウェアでの遅延時間が、各トランスミッター１のＣＰＵ１６内のメモリや各レシーバー２のＣＰＵ３８内のメモリに記憶されている。）
【００５８】
例えば音楽の収録であれば、各トランスミッター１は、歌手や各楽器の演奏者が１個ずつ使用する。
【００５９】
デジタルオーディオミキサー５０に、各レシーバー２からの入力デジタル音声信号に付加されている遅延情報を抽出する機能や、この遅延情報に基づいて各レシーバー２からの入力デジタル音声信号の遅延時間を調整する機能（図５の遅延回路２６，２７のような遅延時間を設定可能な遅延回路を用いて遅延時間を揃える機能）を搭載すれば、自動的に各音声の遅延時間を調整して、それらの音声を正確に合成することができる。
【００６０】
また、デジタルオーディオミキサー５０がこうした機能を有しない場合でも、デジタルオーディオミキサー５０を操作する収録担当者は、各レシーバー２での遅延時間の表示を見ることにより、各音声の遅延時間を容易に確認することができる。したがって、従来のように各音声の遅延時間の測定作業を行うことなく、各音声の遅延時間を調整することができる。
【００６１】
図１１は、２個のトランスミッター１と１個のレシーバー２とから成る１組のワイヤレスマイクロホンを用い、レコーダー（ＶＴＲあるいは光ディスク装置）一体型のデジタルビデオカメラ５２のスロットに装着したレシーバー２からデジタルビデオカメラ５２に入力させた音声を、デジタルビデオカメラ５２で撮影される映像とともにデジタルビデオカメラ５２に収録するようにしたシステムである。
【００６２】
各トランスミッター１は、それぞれ図２，図５に示した構成のものであれば、互いに回路の仕様やファームウェアが相違していてもかまわない（各々の仕様やファームウェアでの遅延時間が、各トランスミッター１のＣＰＵ１６内のメモリに記憶されている。）
【００６３】
例えば対談番組の収録であれば、各トランスミッター１は、対談する２人の人物が１個ずつ使用する。
【００６４】
レシーバー２からビデオカメラ５２に入力される２チャンネルのデジタル音声信号は遅延時間が揃っているので、デジタルビデオカメラ５２ではこの２チャンネルのデジタル音声信号の遅延時間を調整する必要はない。
【００６５】
また、デジタルビデオカメラ５２に、レシーバー２からの入力デジタル音声信号に付加されている遅延情報を抽出する機能や、この遅延情報とデジタルビデオカメラ５２内部でのデジタル処理によるデジタル映像信号の遅延時間の情報とに基づいて音声と映像との遅延時間を調整する機能を搭載すれば、自動的に、音声と映像とを遅延時間を調整して収録することも可能になる。
【００６６】
なお、図２，図５に示したトランスミッター１，レシーバー２の構成例では、トランスミッター１から、遅延情報をデジタル音声信号に付加させて送信している。しかし、別の例として、トランスミッター１から、デジタル音声信号とは別の周波数帯の電波によって遅延情報を送信するようにしてもよい。図１２，図１３は、そのようにした構成例を示すブロック図であり、図２，図５と共通する部分には同一符号を付して重複説明を省略する。
【００６７】
図１２に示すように、トランスミッター１には、デジタル変調回路１４によって変調されて送信される電波を主搬送波として、この主搬送波とは別の周波数帯（例えば主搬送波が８００ＭＨｚである場合に２．４ＧＨｚ）の副搬送波を送信するためのデジタル変調回路１８及びＵＨＦ変調回路１９が設けられている。
【００６８】
ＣＰＵ１６は、ＣＰＵ１６内のメモリに記憶されている遅延時間を示す遅延情報を、パケット化回路１３でデジタル音声信号に付加させる代わりに、デジタル変調回路１８に送ることによって送信アンテナ１ａから副搬送波として送信させる。
【００６９】
図１３に示すように、レシーバー２には、図５に示した復調回路２０，２１とは別に、２つのトランスミッター１からのこの副搬送波を復調する復調回路４２，４３が設けられている。ＣＰＵ３８には、この復調回路４２，４３で復調された遅延情報が送られる。
【００７０】
また、以上の例では、２つのトランスミッター１からの２チャンネルのデジタル音声信号を受信可能なタイプのレシーバー１に本発明を適用している。しかし、本発明は、１つのトランスミッター１からのデジタル音声信号のみを受信可能なタイプのレシーバーや、３つ以上のトランスミッター１からのデジタル音声信号を受信可能なタイプのレシーバーにも適用してよい。
【００７１】
１つのトランスミッター１からのデジタル音声信号のみを受信可能なタイプのレシーバーに適用する場合には、図５に示した遅延回路２６，２７のような遅延回路は必要なく、そのトランスミッター１から送信された遅延情報が示す遅延時間と、ＣＰＵ３８内のメモリに記憶された遅延時間とをそのまま合計すればよい。
【００７２】
３つ以上のトランスミッター１からのデジタル音声信号を受信可能なタイプのレシーバーに適用する場合には、図５に示した遅延回路２６，２７のような遅延回路を用いて、遅延時間が最長のデジタル音声信号以外のデジタル音声信号を、この最長の遅延時間に一致させるように遅延させるとともに、各トランスミッター１から送信された遅延情報が示す遅延時間のうちの最長の遅延時間と、ＣＰＵ３８内のメモリに記憶された遅延時間とを合計すればよい。
【００７３】
また、図１に示したトランスミッター１，レシーバー２の外観はあくまで一例であり、本発明は、図１に示した以外の適宜の形状やサイズのトランスミッター，レシーバー（例えば、マイクロホンとトランスミッターとが一体となったハンドマイクタイプのトランスミッターや、据置き型のレシーバー）にも適用してよい。
【００７４】
また、以上の例ではワイヤレスマイクロホンに本発明を適用している。しかし、本発明を、ワイヤードでデジタル音声信号を送受信するシステムに適用して、遅延情報を付加したデジタル音声信号を１本のケーブルで送信したり、あるいは遅延情報をデジタル音声信号とは別のケーブルで送信するようにしてもよい。
【００７５】
また、本発明は、デジタル音声信号以外のデジタルデータの送信装置や受信装置や送受信システムにも適用してよい。
【図面の簡単な説明】
【００７６】
【図１】本発明を適用したワイヤレスマイクロホンの外観例を示す図である。
【図２】図１のトランスミッターの構成例を示すブロック図である。
【図３】図３のパケット化回路での遅延情報の付加の様子を例示する図である。
【図４】トランスミッターの表示部での遅延時間の表示の様子を例示する図である。
【図５】図１のレシーバーの構成例を示すブロック図である。
【図６】２つの音声信号の加算処理の様子を例示する図である。
【図７】２つの音声信号の加算処理の様子を例示する図である。
【図８】図５のパケット化回路での遅延情報の付加の様子を例示する図である。
【図９】レシーバーの表示部での遅延時間の表示の様子を例示する図である。
【図１０】本発明を適用したワイヤレスマイクロホンを用いたシステムを例示する図である。
【図１１】本発明を適用したワイヤレスマイクロホンを用いたシステムを例示する図である。
【図１２】図１のトランスミッターの別の構成例を示すブロック図である。
【図１３】図１のレシーバーの別の構成例を示すブロック図である。
【符号の説明】
【００７７】
１  ワイヤレスマイクロホントランスミッター、  １ｃ  表示部、  ２  ワイヤレスマイクロホンレシーバー、  ２ｂ  表示部、  １１  Ａ／Ｄ変換器、  １２  デジタル圧縮回路、  １３  パケット化回路、  １４  デジタル変調回路、  １６  ＣＰＵ、  １８  デジタル変調回路、  ２０，２１  復調回路、  ２２，２３  アンパケット化回路、  ２４，２５  デジタル伸長回路、  ２６，２７  遅延回路、  ３１，３２  パケット化回路、  ３６  ミキシング回路、  ３８  ＣＰＵ、  ４２，４３  復調回路、  ５０  デジタルオーディオミキサー、  ５２  デジタルビデオカメラ
【図１】
2008258837.tif 000003
【図２】
2008258837.tif 000004
【図３】
2008258837.tif 000005
【図４】
2008258837.tif 000006
【図５】
2008258837.tif 000007
【図６】
2008258837.tif 000008
【図７】
2008258837.tif 000009
【図８】
2008258837.tif 000010
【図９】
2008258837.tif 000011
【図１０】
2008258837.tif 000012
【図１１】
2008258837.tif 000013
【図１２】
2008258837.tif 000014
【図１３】
2008258837.tif 000015
【手続補正書】
【提出日】平成20年4月2日(2008.4.2)
【手続補正１】
【補正対象書類名】特許請求の範囲
【補正対象項目名】全文
【補正方法】変更
【補正の内容】
【特許請求の範囲】
【請求項１】
デジタルデータを送信する送信装置において、
前記送信装置内部のデジタル処理によるデジタルデータの遅延時間を記憶した記憶手段と、
前記記憶手段に記憶された遅延時間を示す遅延情報を送信する遅延情報送信手段と
を備えた送信装置。
【請求項２】
請求項１に記載の送信装置において、
表示手段と、
前記記憶手段に記憶された遅延時間を前記表示手段に表示させる制御手段と
をさらに備えた送信装置。
【請求項３】
請求項２に記載の送信装置において、
前記遅延情報送信手段は、前記送信装置から送信するデジタルデータに前記遅延情報を付加する付加回路から成ることを特徴とする送信装置。
【請求項４】
請求項１に記載の送信装置において、
マイクロホンと、
前記マイクロホンからの音声信号をアナログ／デジタル変換するアナログ／デジタル変換器と、
前記アナログ／デジタル変換器からのデジタル音声信号によって変調した電波を送信する変調・送信手段と
を有する音声送信装置である送信装置。
【請求項５】
送信装置から送信されたデジタルデータを受信する受信装置において、
前記受信装置内部のデジタル処理によるデジタルデータの遅延時間を記憶した記憶手段と、
前記送信装置から送信された、デジタルデータの遅延時間を示す遅延情報を取得する遅延情報取得手段と、
前記記憶手段に記憶された遅延時間と、前記遅延情報取得手段で取得された前記遅延情報が示す遅延時間とを合計した遅延時間を示す遅延情報を作成する遅延情報作成手段と
を備えた受信装置。
【請求項６】
請求項５に記載の受信装置において、
複数の送信装置から送信されたデジタルデータを受信し、
前記遅延情報取得手段は、前記複数の送信装置から送信された前記遅延情報をそれぞれ取得し、
前記遅延情報取得手段で取得された前記遅延情報に基づき、前記複数の送信装置から受信したデジタルデータのうち遅延時間が最長のデジタルデータ以外のデジタルデータを、該最長の遅延時間に一致させるように遅延させる遅延手段をさらに備え、
前記遅延情報作成手段は、前記記憶手段に記憶された遅延時間と、前記遅延情報取得手段で取得された前記遅延情報が示す遅延時間のうちの最長の遅延時間とを合計する
受信装置。
【請求項７】
請求項５に記載の受信装置において、
表示手段と、
前記遅延情報作成手段によって合計された遅延時間を前記表示手段に表示させる処理手段と
をさらに備えた受信装置。
【請求項８】
請求項５に記載の受信装置において、
前記送信装置から受信したデジタルデータと、前記遅延情報作成手段によって作成された前記遅延情報とを出力する出力手段をさらに備えた受信装置。
【請求項９】
請求項５に記載の受信装置において、
前記遅延情報取得手段は、前記送信装置から受信したデジタルデータから、該デジタルデータに付加されている前記遅延情報を抽出する抽出回路から成る受信装置。
【請求項１０】
請求項５に記載の受信装置において、
ワイヤレス音声送信装置から送信された電波を受信してデジタル音声信号を復調する受信・復調手段と、
前記受信・復調手段によって復調されたデジタル音声信号を出力する音声出力端子と
を有するワイヤレス音声受信装置である受信装置。
【請求項１１】
デジタルデータを送信する送信装置と、
前記送信装置から送信されたデジタルデータを受信する受信装置と
から成るデジタルデータ送受信システムにおいて、
前記送信装置は、
前記送信装置内部のデジタル処理によるデジタルデータの遅延時間を記憶した記憶手段と、
前記記憶手段に記憶された遅延時間を示す遅延情報を送信する遅延情報送信手段と
を備え、
前記受信装置は、
前記受信装置内部のデジタル処理によるデジタルデータの遅延時間を記憶した記憶手段と、
前記送信装置から送信された前記遅延情報を取得する遅延情報取得手段と、
前記記憶手段に記憶された遅延時間と、前記遅延情報取得手段で取得された前記遅延情報が示す遅延時間とを合計した遅延時間を示す遅延情報を作成する遅延情報作成手段と
を備えたデジタルデータ送受信システム。
【請求項１２】
請求項１１に記載のデジタルデータ送受信システムにおいて、
前記受信装置は、複数の前記送信装置から送信されたデジタルデータを受信し、
前記受信装置の前記遅延情報取得手段は、前記複数の前記送信装置から送信された前記遅延情報をそれぞれ取得し、
前記受信装置は、前記遅延情報取得手段で取得された前記遅延情報に基づき、前記複数の前記送信装置から受信したデジタルデータのうち遅延時間が最長のデジタルデータ以外のデジタルデータを、該最長の遅延時間に一致させるように遅延させる遅延手段をさらに備え、
前記受信装置の前記遅延情報作成手段は、前記記憶手段に記憶された遅延時間と、前記遅延情報取得手段で取得された前記遅延情報が示す遅延時間のうちの最長の遅延時間とを合計する
デジタルデータ送受信システム。
【請求項１３】
請求項１１に記載のデジタルデータ送受信システムにおいて、
前記送信装置は、
表示手段と、
前記記憶手段に記憶された遅延時間を前記表示手段に表示させる制御手段と
をさらに備え、
前記受信装置は、
表示手段と、
前記遅延情報作成手段によって合計された遅延時間を前記表示手段に表示させる処理手段と
をさらに備えたデジタルデータ送受信システム。
【請求項１４】
請求項１１に記載のデジタルデータ送受信システムにおいて、
前記受信装置は、
前記送信装置から受信したデジタルデータと、前記遅延情報作成手段によって作成された前記遅延情報とを出力する出力手段
をさらに備えたデジタルデータ送受信システム。
【請求項１５】
請求項１１に記載のデジタルデータ送受信システムにおいて、
前記送信装置の前記遅延情報送信手段は、前記送信装置から送信するデジタルデータに前記遅延情報を付加する付加回路から成り、
前記受信装置の前記遅延情報取得手段は、前記送信装置から受信したデジタルデータから前記遅延情報を抽出する抽出回路から成るデジタルデータ送受信システム。
【請求項１６】
請求項１１に記載のデジタルデータ送受信システムにおいて、
前記送信装置は、
マイクロホンと、
前記マイクロホンからの音声信号をアナログ／デジタル変換するアナログ／デジタル変換器と、
前記アナログ／デジタル変換器からのデジタル音声信号によって変調した電波を送信する変調・送信手段と
を有するワイヤレス音声送信装置であり、
前記受信装置は、
前記ワイヤレス音声送信装置から送信された電波を受信してデジタル音声信号を復調する受信・復調手段と、
前記受信・復調手段によって復調されたデジタル音声信号を出力する音声出力端子と
を有するワイヤレス音声受信装置であるデジタルデータ送受信システム。
【手続補正２】
【補正対象書類名】明細書
【補正対象項目名】００２０
【補正方法】変更
【補正の内容】
【００２０】
図１は、本発明を適用したデジタルワイヤレスマイクロホン（以下単にワイヤレスマイクロホンと呼ぶ）の外観例を示す図である。このうち、図１Ａは、音声の送信側の装置であるワイヤレスマイクロホントランスミッター（以下トランスミッターと呼ぶ）１を示している。トランスミッター１の表面には、送信アンテナ１ａや、マイク入力端子１ｂや、液晶ディスプレイから成る表示部１ｃが設けられている。トランスミッター１は、腰のベルト等に取り付けて、マイク入力端子１ｂにケーブルでマイクロホン（ピンマイク等）を接続するタイプのトランスミッターである。